(57)【特許請求の範囲】
【請求項１】
集合玄関機、管理用機、住戸機及び通話制御装置から構成され、前記通話制御装置を介して集合玄関機、管理用機及び住戸機の間で通話を行うインターホンシステムにおいて、
前記通話制御装置又は住戸機は、自機のソフトウェアのバージョン情報が格納される記憶手段と、前記バージョン情報を所定の条件下において前記集合玄関機及び前記管理用機の少なくともいずれか１個に送出して表示させる演算手段とを有することを特徴とするインターホンシステム。
【請求項２】
前記集合玄関機及び前記管理用機の少なくともいずれか１個は、自機のソフトウェアのバージョン情報が格納される記憶手段と、前記自機のバージョン情報を所定の条件下において表示させる演算手段とを有することを特徴とする請求項１記載のインターホンシステム。
【請求項３】
前記所定の条件下は、自機の電源投入又はリセット時であることを特徴とする請求項１又は２記載のインターホンシステム。
【発明の詳細な説明】
【０００１】
【発明の属する技術分野】
本発明は集合住宅等において設備されるインターホーンシステム、特にインターホン等のソフトウェアのバーション情報の表示に関する。
【０００２】
【従来の技術】
従来この種のインターホーンシステムは、一般的には、集合玄関機、住戸機、管理用機及び通話制御装置から構成されており、集合玄関機、住戸機及び管理用機の間での通話が可能になっている。これらの機器にはマイクロコンピュータ、ＲＯＭ等が内蔵されており、その機器の制御はソフトウェアによりなされる。このため、インターホーンシステムの全体の制御処理、或いは個々の機器についての制御処理を変更する場合には、ハード部品を代えるのではなく、ソフトウェアを変更することによりなされることが多い。
【０００３】
【発明が解決しようとする課題】
インターホーンシステムの通話制御装置は、その制御の中核をなすものであり、従って、端末（集合玄関機、管理用機、住戸機）との整合が必要であり、相互にそのソフトのバーションを確認する必要がある場合がある。そのような場合には、マイクロコンピュータ、ＲＯＭ等にソフトウェアのバージョン情報を予め表記しておき、そして、必要があるときには機器を分解してそのソフトウェアのバーションを確認していた。このため、従来のインターホーンシステムにおいてソフトウェアのバージョンを確認するのは面倒であるという課題があった。
【０００４】
本発明は、このような課題を解決するためになされたものであり、機器のソフトウェアのバーションを簡単に確認することができるようにしたインターホンシステムを提供することを目的とする。
【０００５】
【課題を解決するための手段】
本発明に係るインターホンシステムは、集合玄関機、管理用機、住戸機及び通話制御装置から構成され、前記通話制御装置を介して集合玄関機、管理用機及び住戸機の間で通話を行うインターホンシステムにおいて、前記通話制御装置又は住戸機は、自機のソフトウェアのバージョン情報が格納される記憶手段と、前記バージョン情報を所定の条件下において前記集合玄関機及び前記管理用機の少なくともいずれか１個に送出して表示させる演算手段とを有する。
また、本発明に係るインターホンシステムにおいて、前記集合玄関機及び前記管理用機の少なくともいずれか１個は、自機のソフトウェアのバージョン情報が格納される記憶手段と、前記自機のバージョン情報を所定の条件下において表示させる演算手段とを有する。また、前記所定の条件下は、自機の電源投入又はリセット時である。
【０００６】
【発明の実施の形態】
実施形態１．
図１は本発明の一実施形態に係る集合玄関機（ロビーインターホン）の内部構成を示すブロック図である。図１において、１０はマイクロコンピュータであり（これに内蔵されたＲＯＭにはそのソフトウェアのバージョン情報が格納されている）、１１は制御信号線Ｌ１１を介して制御信号を送受する送受信回路である。１２は第１通話線Ｌ２１を介して音声信号を送受信するための送受信回路、１３は第２通話線Ｌ３１を介して音声信号を送受信するための送受信回路、１４は第１通話線の送受信回路１２と第２通話線の送受信回路１３とを切り替えるための切替回路である。１５は増幅器、１６はスピーカであり、これらは切替回路１４を介して送受信回路１２又は１３と接続され、受信した音声信号に基づいて音声を出力する。１７はマイク、１８は増幅器であり、マイク１７からの音声信号は増幅器１８で増幅されて切替回路１４を介して送受信回路１２又は１３に送り出される。１９は音声合成回路であり、マイクロコンピュータ１０の制御信号に基づいて音声信号を生成して増幅器１５を介してスピーカ１６に出力する。
【０００７】
また、２１はテレビカメラ、２２はテレビカメラ２１からの映像信号を切り替えるための切替回路、２３は切替回路２２で切り替えられた映像信号を第１映像線Ｌ４１に送り出すための送信回路、２４は切替回路２２で切り替えられた映像信号を第２映像線Ｌ５１に送り出すための送信回路である。２６はテンキー、２７は呼出釦、２８は操作表示灯である。３０はドライバ、３１は７セグメント表示器である。４０はシステムが１通話路か２通話路か、映像システムをもっているか等の各種の機能設定をするためのディップスイッチである。４１は自機のアドレスを設定するためのロータリスイッチである。これらのスイッチ４０，４１は電源投入時又はリセット時に読み取られてマイクロコンピュータ１０に内蔵したメモリに記憶される。
【０００８】
図２は図１の集合玄関機の外観図である。図において、テレビカメラ２１は左上に配置され、操作表示灯２８、７セグメント表示器３１が順次その下方に配置され、更に符号４５に示される領域にスピーカ１６及びマイク１７が配置される。また、右側中央部には、テンキー２６及び呼出釦２７が配置される。
【０００９】
図３は図１の集合玄関機（ロビーインターホン）を含む集合住宅全体のシステム構成図である。図３において、ＴＣは通話制御装置、ＶＣは映像制御装置、ＥＰ１，ＥＰｋはマンションなどの集合住宅の集合玄関に設けられた図１の集合玄関機、ＳＭ１，ＳＭ２は集合住宅の管理室及び管理人住戸に設けられた管理人インターホン（管理用機）である。ＳＭＰは通話制御装置ＴＣと管理人インターホンＳＭ１とを１つのケースに収容した管理人親機である。Ｊ１〜Ｊｎは集合住宅の各住戸に設けられたインターホン機能を備えた住戸機に更に防犯機能を備えた住戸情報盤（以下住情盤という）である。また、Ｌ１１〜Ｌ１３は制御線、Ｌ２１〜Ｌ２３は第１通話線、Ｌ３１〜Ｌ３３は第２通話線、Ｌ４１〜Ｌ４３は第１映像線、Ｌ５１〜Ｌ５３は第２映像線である。また、ＡＬ１，ＡＬＫは各々集合玄関機ＥＰＩ，ＥＰＫに接続されたオートドアである。
【００１０】
また、図３のＤＰ１〜ＤＰｎは各住戸の玄関の外に設けられ、その住戸の住情盤Ｊ１〜Ｊｎに接続されたドアホン、ＳＥ１は監視線ＬＳ２１〜ＬＳ２ｎによって住情盤Ｊ１〜Ｊｎに接続された各住戸の玄関の防犯センサ、ＳＥ２〜ＳＥｎは監視線ＬＳ２１〜ＬＳ２ｎによって住情盤Ｊ１〜Ｊｎに接続された各住戸の玄関以外の部分（例えばベランダに面した窓など）に設けられた防犯センサである。なお、図３の例では、防犯センサＳＥ１〜ＳＥｎは監視線ＬＳ２１〜ＬＳ２ｎに接続されているが、各住戸の玄関部分に設けられた防犯センサＳＥ１は監視線ＬＳ２１〜ＬＳ２ｎとは別系続の監視線ＬＳ１１〜ＬＳ１ｎに接続して玄関以外の部分に設けられた防犯センサＳＥ２〜ＳＥｎとは別の監視動作とさせるようにしても良い。
【００１１】
また、図３の住情盤Ｊ１〜Ｊｎには、７セグメント表示器３１を備えていないが、インターホンのハンドセット（送受話器）、インタホンの呼出音、管理室からの放送、警報音などを流すスピーカ、集合玄関機ＥＰ１〜ＥＰｋのテレビカメラ２１から送られてくる訪問者の映像を映すＬＣＤ等のモニタテレビ、各種表示灯、各種スイッチ（例えば玄関のオートドアロックを解錠するための解錠スイッチ）や、図１のマイクロコンピュータ１０と同種のマイクロコンピュータや、図３の左側の機器（符号１１〜１４，２２〜２４、４０，４１）に相当する機器を備えている。
【００１２】
また、図３の通話制御装置ＴＣは、集合玄関機ＥＰ１〜ＥＰｋと住戸機Ｊ１〜Ｊｎと管理用機ＳＭ１，ＳＭ２のとの間での通話に介在するものであり、そのハードウエアとして図１のセグメント表示器３１を備えていないが、図１のマイクロコンピュータ１０と同種のマイクロコンピュータを備えている。
【００１３】
ここで、図３のシステムの概要を、集合玄関機ＥＰ１〜ＥＰｋと住情盤Ｊ１〜Ｊｎのインターホンとの間の例で説明する。
訪問者が例えば集合玄関機ＥＰ１のテンキー２６を操作して訪問すべき部屋番号例えば「１０２」を入力し、次に呼出スイッチ２７を押すと、集合玄関機ＥＰ１の送受信回路１１から制御線Ｌ１１を介して通話制御装置ＴＣに、集合玄関機ＥＰ１のアドレスと、「１０２」号室の部屋コード（アドレス）と呼出コードからなる呼出信号が送出される。通話制御装置ＴＣは集合玄関機ＥＰ１から呼出信号を受信すると、空いている通話線、映像線を調べ、第２通話線と第２映像線とが使用中であれば、呼出信号と第１通話線Ｌ２２及び第１映像線Ｌ４２の通話・映像線指定命令を制御線Ｌ１２を介して１０２号室の住情盤Ｊ２に送出すると共に、第１映像線Ｌ４１の映像線指定命令を制御線Ｌ１１を介して集合玄関機ＥＰ１に送出する。また、制御線Ｌ６１を介して映像制御装置ＶＣに映像線Ｌ４１とＬ４２を接続する命令を送出する。集合玄関機ＥＰ１では、送受信回路１１を介して上記の映像線指定命令を受信し、これにより、テレビカメラ２１を起動すると共に切替回路２２を制御して、テレビカメラ２１の出力を送信回路２３を介して第１映像線Ｌ４１に接続し、第１映像線Ｌ４１に訪問者の映像信号を送出する。
【００１４】
また、１０２号室の住情盤Ｊ２は、制御線Ｌ１２を通じ受信した呼出信号と第１通話線Ｌ２２および第１映像線Ｌ４２の通話・映像線指定命令が自機のアドレスに合致しているとき、図示しない通話用と映像用の各接続スイッチを制御して第１通話線Ｌ２２及び第１映像線Ｌ４２をそれぞれ接続する。また、スピーカから呼出音を発し、ロビー灯を点灯し、モニタテレビを起動して第１映像線Ｌ４２により送られてくる映像信号による映像を放映する。
【００１５】
住情盤Ｊ２でハンドセットが取り上げられると、ハンドセットにより押下されていた住情盤Ｊ２の図示しないフックが解放され、住情盤Ｊ２から通話制御装置ＴＣに制御線Ｌ１２を介してフックオン信号が送出される。通話制御装置ＴＣは住情盤Ｊ２からフックオン信号を受信すると、集合玄関機ＥＰ１に対し第１通話線Ｌ２１の通話線指定命令を送出し、この命令を送受信回路１１を介して受け取ると、集合玄関機ＥＰ１は切替回路１４を制御して送受信回路１２を介して第１通話線Ｌ２１と接続する。これにより集合玄関機ＥＰ１と住情盤Ｊ２との間の通話路が形成され、訪問者と１０２号室の居住者との間で通話が行われる。
【００１６】
そして、集合玄関に配置されている入出館用の自動ドアは、住情盤Ｊ２の解錠スイッチを操作すると、制御線Ｌ１２、Ｌ１１を介して集合玄関機ＥＰ１に解錠信号が送られ、オートドアロックＡＬ１が解錠されて開放される。
【００１７】
また、通話が終了して住情盤Ｊ２のハンドセットＨＳを元に戻すと、住情盤Ｊ２から制御線Ｌ１２を介して通話終了信号が通話制御装置ＴＣに送られ、通話制御装置ＴＣは住情盤Ｊ２と集合玄関機ＥＰ１並びに映像制御装置ＶＣに終了命令を送出する。これにより、集合玄関機ＥＰ１はテレビカメラ２１をオフすると共に、切替回路１４，２２を制御して第１通話線Ｌ２１と第１映像線Ｌ４１の接続スイッチを開放し、住情盤Ｊ２はモニタテレビをオフすると共に第１通話線Ｌ２２と第１映像線Ｌ４２の各接続スイッチを開放し、映像制御装置ＶＣは第１通話線Ｌ２１と第１映像線Ｌ４１の接続を解放する。この結果、第１通話線と第１映像線とは解放される。
【００１８】
図３のシステムの概要が明らかになったところで、次に、本実施形態に特有な構成について説明する。
【００１９】
図４は図３の通話制御装置ＴＣの電源投入又はリセット時の動作を示すフローチャートである。
▲１▼電源投入又はリセットにより装置が立ち上がり、マイクロコンピュータ（図示せず）の初期設定、ＲＡＭのクリア、Ｉ／Ｏポートの設定等の各種の処理を行う（Ｓ１１）。
▲２▼次に、ディップスイッチやロータリスイッチの設定を読み込む（Ｓ１２）。
▲３▼次に、制御信号線Ｌ１１，１２，通話線２１，２２，３１，３２及び映像線Ｌ４１，４２，５１，５２が短絡状態になっているかどうかの検出処理を行う（Ｓ１３）。
▲４▼次に、イニシャル情報を制御信号線Ｌ１１，１２に送出し（Ｓ１４）、続いて、その通話制御装置ＴＣのソフトウェアのバージョン情報を制御信号線Ｌ１１，１２に送出する（Ｓ１５）。
▲５▼その後、端末存在不存在の確認のための処理（Ｓ１６）、緊急ポーリング処理（Ｓ１７）等を行う。なお、前記の処理（Ｓ１３，Ｓ１４，Ｓ１６，Ｓ１７）については本発明と直接関係ないのでその説明は省略する。
【００２０】
図５は集合玄関機ＥＰ１，ＥＰｋの電源投入又はリセット時の動作を示すフローチャートである。
▲１▼電源投入又はリセットにより装置が立ち上がり、マイクロコンピュータ１０の初期設定、ＲＡＭのクリア、Ｉ／Ｏポートの設定等の各種の処理を行う（Ｓ２１）。
▲２▼次に、ディップスイッチ４０やロータリスイッチ４１の設定を読み込む（Ｓ１２）。
▲３▼そして、装置が立ち上がったことを示す例えば「イニシャル」という意味の情報表示（例えばコード番号や文字等による）を７セグメント表示器３１に表示させる（Ｓ２３）。
▲４▼続いて、自機である集合玄関機ＥＰ１（又はＥＰｋ）のソフトウェアのバージョン情報を内蔵したＲＯＭから読み出して７セグメント表示器３１に表示させる（Ｓ２４）。
▲５▼このとき、通話制御装置ＴＣからイニシャル情報が入力されているかどうかを判断し（Ｓ２５）、イニシャル情報が入力されていない場合には、受信データ処理（Ｓ２６）に移行する。
【００２１】
▲６▼上記にて、通話制御装置ＴＣからイニシャル情報が入力されているという判断がなされたときには、通話制御装置ＴＣが立ち上がった旨を示す例えば「イニシャル受信」という意味の情報表示を７セグメント表示器３１に表示させる（Ｓ２７）。通話制御装置ＴＣからはイニシャル情報の後に、ソフトウェアのバージョン情報が出力されるから（図４のＳ１４，、Ｓ１５参照）、次に、通話制御装置ＴＣのソフトウェアのバージョン情報が入力されているかどうかを判断し（Ｓ２８）、バージョン情報が入力されているという判断がなされたときには、通話制御装置ＴＣのソフトウェアのバージョン情報を７セグメント表示器３１に表示させる（Ｓ２９）。
【００２２】
図６は図５の受信データ処理の詳細を示したフローチャートである。
▲１▼まず、受信データが正常であるかどうかを判断し（Ｓ３１）、正常である場合には次の処理に移行する。
▲２▼受信データが通話制御装置ＴＣからのイニシャル情報であるかどうかを判断し（Ｓ３２）、イニシャル情報が入力されている場合には通話制御装置ＴＣが立ち上がった旨を示す例えば「イニシャル受信」という意味の情報表示を７セグメント表示器３１に表示させる（Ｓ３３）。
▲３▼通話制御装置ＴＣからはイニシャル情報の後に、ソフトウェアのバージョン情報が出力されるから（図４のＳ１４，、Ｓ１５参照）、次に、受信データが通話制御装置ＴＣのソフトウェアのバージョン情報であるかどうかを判断し（Ｓ３４）、バージョン情報であるという判断がなされたときには、通話制御装置ＴＣのソフトウェアのバージョン情報を７セグメント表示器３１に表示させる（Ｓ３５）。
▲４▼また、受信データが通話先からのフックオン信号である場合には（Ｓ３６）、集合玄関機ＥＰ１を通話制御状態に移行する（Ｓ３７）。
【００２３】
以上のようにして、集合玄関機ＥＰ１，ＥＰｋは電源投入時又はリセット時に、自機のソフトウェアのバージョン情報を表示する。また、通話制御装置ＴＣは７セグメント表示器３１を備えていないので、バージョン情報を集合玄関機ＥＰ１，ＥＰｋに出力することにより、それらにバージョン情報を表示させる。
【００２４】
上記の説明は集合玄関機ＥＰ１，ＥＰｋの例であるが、管理用機ＳＭ１，ＳＭ２においても同様である。管理用機ＳＭ１，ＳＭ２においても電源投入時又はリセット時に自機のソフトウェアのバージョン情報を表示し、また、通話制御装置ＴＣからのソフトウェアのバージョン情報を表示させる。また、上記の例では住情盤Ｊ１〜Ｊｎには７セグメント表示器３１が搭載されていないのでバージョン情報を表示することができないが、７セグメント表示器３１を搭載することで上記の場合と同様にしてソフトウェアのバージョン情報を表示させることができる。
【００２５】
また、通話制御装置ＴＣのソフトウェアのバージョン情報については、集合玄関機ＥＰ１，ＥＰｋ、管理用機ＳＭ１，ＳＭ２及び住情盤（上記のように表示可能にした場合）Ｊ１〜Ｊｎの全てに表示させるようにしても良いし、何れか一方にのみ表示させるようにしても良い。更に、住情盤Ｊ１〜Ｊｎに７セグメント表示器３１を搭載しない場合には、通話制御装置ＴＣの場合と同様に、他の機器（集合玄関機ＥＰ１，ＥＰｋ、管理用機ＳＭ１，ＳＭ２）にそのソフトウェアのバージョン情報を表示させるようにしても良い。また、通話制御装置ＴＣに表示器を設け、通話制御装置ＴＣで各機器のバージョン情報を表示させるようにしても良い。
【００２６】
なお、上記の例においては電源投入時又はリセット時にバージョン情報を表示するようにしているが、本発明はおいてはそれに限定されるものではなく、適当なコマンドを用意しておいてそのコマンドを入力したときにソフトウェアのバージョン情報を表示するようにしてもよい。
【００２７】
また、上記の例においてはソフトウェアのバージョン情報を７セグメント表示器に表示させる例について説明したが、本発明の表示手段はそれに限定されるものではなく、液晶表示装置等の他の表示装置も含むものである。なお、上記実施形態では管理用機を管理室に設けた例を示したが、当該管理室以外に設けるようにしても良い。
【００２８】
【発明の効果】
以上のように本発明によれば、自機のソフトウェアのバージョン情報を所定の条件下において自機又は他のインターホンの表示手段に表示させるようにしたことから、ソフトウェアのバージョンを確認する必要があるときでも、機器を分解する必要がなく、簡単にそのバーションを確認することができる。
【図面の簡単な説明】
【図１】本発明の一実施形態に係る集合住宅玄関機の内部構成を示すブロック図である。
【図２】図１の集合住宅玄関機の外観図である。
【図３】図１の集合住宅玄関機を含む集合住宅全体のシステム構成図である。
【図４】図３の通話制御装置の電源投入時又はリセット時の初期段階の動作を示したフローチャートである。
【図５】集合玄関機の電源投入時又はリセット時の初期段階の動作を示したフローチャートである。
【図６】図５の受信データ処理の詳細を示したフローチャートである。
【符号の説明】
１０  マイクロコンピュータ
３０  ドライバ
３１  ７セグメント表示器
【図１】
0003656712.tif 000002
【図２】
0003656712.tif 000003
【図３】
0003656712.tif 000004
【図４】
0003656712.tif 000005
【図５】
0003656712.tif 000006
【図６】
0003656712.tif 000007